(57)【要約】      （修正有）【課題】太陽電池及び太陽電池モジュールに係り、特に、一定間隔を隔てて形成されるような方式で構成されるバスバー配線を有する太陽電池及び太陽電池モジュールを提供する。【解決手段】太陽電池の電極は、半導体基板と、反射防止層と、電極構造と、を備え、電極構造は、半導体基板の第１型領域及び第２型領域と電気的に接続し、少なくとも１つのバスバー配線３３１ｂを有し、前記少なくとも１つのバスバー配線３３１ｂは、複数の導電パターンを有し、かつ隣接する両導電パターンが所定領域を隔てて形成されるように構成される。【選択図】図５Ａ
0003181071.tif 000002
【実用新案登録請求の範囲】
【請求項１】
互いに接続される第１型領域及び第２型領域を有する半導体基板と、前記半導体基板の前記第１型領域の上に設けられる反射防止層と、前記第１型領域及び前記第２型領域を電気的に接続することにより電流回路を形成する電極構造と、を備える太陽電池であって、
前記電極構造は、少なくとも１つのバスバー配線を有し、前記少なくとも１つのバスバー配線は、複数の導電パターンを有し、かつ隣接する両導電パターンが所定領域を隔てて形成されることを特徴とする、太陽電池。
【請求項２】
前記半導体基板が、多結晶シリコン基板、単結晶シリコン基板または準結晶シリコン基板であることを特徴とする、請求項１に記載の太陽電池。
【請求項３】
前記第１型領域が、Ｎ型不純物拡散領域であり、前記第２型領域が、Ｐ型多結晶シリコン領域であることを特徴とする、請求項１に記載の太陽電池。
【請求項４】
互いに接続される第１型領域及び第２型領域を有する半導体基板と、前記半導体基板の前記第１型領域の上に設けられる反射防止層と、前記第１型領域及び前記第２型領域を電気的に接続することにより電流回路を形成する電極構造と、を備える太陽電池であって、
前記電極構造は、前記第１型領域の上に配置される複数のフィンガー電極と複数の第１導電パターンを有する第１バスバー配線とを有する第１電極と、前記第２型領域と電気的に接続し、かつ前記第１電極と電気的に接続するための第２電極と、を有し、
前記複数の第１導電パターンが前記第１型領域の上に形成されるとともに、前記複数のフィンガー電極と電気的に接続し、かつ隣接する両第１導電パターンが第１所定領域を隔てて形成されることを特徴とする、太陽電池。
【請求項５】
前記第２電極は、前記第２型領域の上に配置される裏面電界電極と、複数の第２導電パターンを有する第２バスバー配線とを有し、前記複数の第２導電パターンが前記裏面電界電極の上に形成されるとともに、前記裏面電界電極と電気的に接続し、かつ隣接する両第２導電パターンが第２所定領域を隔てて形成されることを特徴とする、請求項４に記載の太陽電池。
【請求項６】
互いに接続される第１型領域及び第２型領域を有する半導体基板と、前記半導体基板の前記第１型領域の上に設けられる反射防止層と、前記第１型領域及び前記第２型領域を電気的に接続することにより電流回路を形成する電極構造と、を備える太陽電池であって、
前記電極構造は、前記第１型領域と電気的に接続する第１電極と、前記第１電極と電気的に接続し、かつ前記第２型領域の上に配置される裏面電界電極と複数の第２導電パターンを有する第２バスバー配線とを有する第２電極と、を有し、
前記複数の第２導電パターンが前記裏面電界電極の上に形成されるとともに、前記裏面電界電極と電気的に接続し、かつ隣接する両第２導電パターンが第２所定領域を隔てて形成されることを特徴とする、太陽電池。
【請求項７】
前記第１電極は、前記第１型領域の上に配置される複数のフィンガー電極と、複数の第１導電パターンを有する第１バスバー配線とを有し、前記複数の第１導電パターンが前記第１型領域の上に形成されるとともに、前記複数のフィンガー電極と電気的に接続し、かつ隣接する両第１導電パターンが第１所定領域を隔てて形成されることを特徴とする、請求項６に記載の太陽電池。
【請求項８】
複数の太陽電池と、前記複数の太陽電池の間に電気的に接続される少なくとも１つの金属リボンと、を備える太陽電池モジュールであって、
前記各太陽電池は、互いに接続される第１型領域及び第２型領域を有する半導体基板と、前記半導体基板の前記第１型領域の上に設けられる反射防止層と、前記第１型領域及び前記第２型領域を電気的に接続することにより電流回路を形成する電極構造と、を備え、
前記電極構造は、少なくとも１つのバスバー配線を有し、前記少なくとも１つのバスバー配線は、複数の導電パターンを有し、かつ隣接する両導電パターンが所定領域を隔てて形成され、
前記複数の太陽電池は、第１太陽電池及び第２太陽電池を有し、前記少なくとも１つの金属リボンの一部が前記第１太陽電池及び前記第２太陽電池の前記複数の導電パターンの上に配置され、他部が前記第１太陽電池及び前記第２太陽電池の隣接する両導電パターンの間の前記所定領域の上に配置されることを特徴とする、太陽電池モジュール。
【請求項９】
前記半導体基板が、多結晶シリコン基板、単結晶シリコン基板または準結晶シリコン基板であることを特徴とする、請求項８に記載の太陽電池モジュール。
【請求項１０】
前記第１型領域が、Ｎ型不純物拡散領域であり、前記第２型領域が、Ｐ型多結晶シリコン領域であることを特徴とする、請求項８に記載の太陽電池モジュール。
【請求項１１】
複数の太陽電池と、前記複数の太陽電池の間に電気的に接続される少なくとも１つの金属リボンと、を備える太陽電池モジュールであって、
前記各太陽電池は、互いに接続される第１型領域及び第２型領域を有する半導体基板と、前記半導体基板の前記第１型領域の上に設けられる反射防止層と、前記第１型領域及び前記第２型領域を電気的に接続することにより電流回路を形成する電極構造と、を備え、
前記電極構造は、前記第１型領域の上に配置される複数のフィンガー電極と複数の第１導電パターンを有する第１バスバー配線とを有する第１電極と、前記第２型領域と電気的に接続し、かつ前記第１電極と電気的に接続する第２電極と、を有し、前記複数の第１導電パターンが前記第１型領域の上に形成されるとともに、前記複数のフィンガー電極と電気的に接続し、かつ隣接する両第１導電パターンが第１所定領域を隔てて形成され、
前記複数の太陽電池は、第１太陽電池及び第２太陽電池を有し、前記少なくとも１つの金属リボンの第１部分が前記第１太陽電池の前記複数の第１導電パターンの上に配置され、前記少なくとも１つの金属リボンの第２部分が前記第１太陽電池の隣接する両第１導電パターンの間の前記第１所定領域の上に配置されることを特徴とする、太陽電池モジュール。
【請求項１２】
前記第２電極は、前記第２型領域の上に配置される裏面電界電極と、複数の第２導電パターンを有する第２バスバー配線とを有し、前記複数の第２導電パターンが前記裏面電界電極の上に形成されるとともに、前記裏面電界電極と電気的に接続し、かつ隣接する両第２導電パターンが第２所定領域を隔てて形成され、
前記少なくとも１つの金属リボンの第３部分が前記第２太陽電池の前記複数の第２導電パターンの上に配置され、前記少なくとも１つの金属リボンの第４部分が前記第２太陽電池の隣接する両第２導電パターンの間の前記第２所定領域の上に配置されることを特徴とする、請求項１１に記載の太陽電池モジュール。
【請求項１３】
複数の太陽電池と、前記複数の太陽電池の間に電気的に接続される少なくとも１つの金属リボンと、を備える太陽電池モジュールであって、
前記各太陽電池は、互いに接続される第１型領域及び第２型領域を有する半導体基板と、前記半導体基板の前記第１型領域の上に設けられる反射防止層と、前記第１型領域及び前記第２型領域を電気的に接続することにより電流回路を形成する電極構造と、を備え、
前記電極構造は、前記第１型領域と電気的に接続する第１電極と、前記第１電極と電気的に接続し、かつ前記第２型領域の上に配置される裏面電界電極と複数の第２導電パターンを有する第２バスバー配線とを有する第２電極と、を有し、前記複数の第２導電パターンが前記裏面電界電極の上に形成されるとともに、前記裏面電界電極と電気的に接続し、かつ隣接する両第２導電パターンが第２所定領域を隔てて形成され、
前記複数の太陽電池は、第１太陽電池及び第２太陽電池を有し、前記少なくとも１つの金属リボンが前記第１太陽電池の前記第１電極と電気的に接続し、前記少なくとも１つの金属リボンの第１部分が前記第２太陽電池の前記複数の第２導電パターンの上に配置され、前記少なくとも１つの金属リボンの第２部分が前記第２太陽電池の隣接する両第２導電パターンの間の前記第２所定領域の上に配置されることを特徴とする、太陽電池モジュール。
【考案の詳細な説明】
【技術分野】
【０００１】
本考案は、太陽電池及び太陽電池モジュールに係り、特に、一定間隔を隔てて形成されるような方式で構成されるバスバー配線を有する太陽電池及び太陽電池モジュールに関する。
【背景技術】
【０００２】
図１は、従来の太陽電池を示す断面図である。図１に示すように、従来の太陽電池１００は、シリコン基板１１０と、反射防止層１２０と、電極構造１３０と、を備えるように構成される。
【０００３】
シリコン基板１１０は、Ｐ型多結晶シリコン基板であってもよく、または単結晶シリコン基板若しくは準結晶シリコン基板であってもよい。そのシリコン基板１１０の表面の上に燐、ヒ素等のようなＮ型不純物をドーピングし、それをＰ型多結晶シリコン基板までに拡散させることにより、Ｎ型不純物拡散領域を形成する。これにより、シリコン基板１１０は、互いに接続されるＮ型領域１１１及びＰ型領域１１２を有し、即ち、上述したＮ型不純物拡散領域はＮ型領域１１１として形成され、シリコン基板１１０の他の部分はＰ型領域１１２として形成される。反射防止層１２０は、窒化けい素（Ｓｉ３Ｎ４）層または他の誘電層を有してもよい。電極構造１３０は、第１電極１３１及び第２電極１３２を有する。第１電極１３１は、Ｎ型領域１１１の第１表面１１３の上に設けられ、かつＮ型領域１１１に接触する。第２電極１３２は、Ｐ型領域１１２の第２表面１１４の上に設けられ、かつＰ型領域１１２に接触する。また、第１電極１３１と第２電極１３２は、負荷１５０を介して互いに電気的に接続されて電流を流す状態になり、負荷１５０に電気エネルギーを供給するようになる。
【０００４】
図２Ａは、従来に係る第１電極が形成されているシリコン基板を示す上面図である。図２Ｂは、従来に係る第２電極が形成されているシリコン基板を示す底面図である。図２Ａに示すように、第１電極１３１は、フィンガー電極１３１ａ及び正面のバスバー配線１３１ｂを有する。図２Ｂに示すように、第２電極１３２は、裏面電界電極１３２ａ及びバスバー配線１３２ｂを有する。フィンガー電極１３１ａは、細長い構造で太陽電池１００の第１表面１１３をほぼ全面的に分布させるもので、電流を収集し、第１表面１１３の上の電子を第１電極１３１までに移動する距離を減らすことに用いられる。裏面電界電極１３２ａは、アルミナゲルを一層沈着させことにより形成されるもので、少数電荷キャリアが裏面・表面での再結合の確率を低減することに用いられる。
【０００５】
図３は、従来の太陽電池モジュールを示す断面図である。図３に示すように、太陽電池モジュール２００は、複数の太陽電池２０１、２０２及び２０３と、複数の金属リボン（ｍｅｔａｌｌｉｃ  ｒｉｂｂｏｎ）２２１及び２２２と、を備えるように構成される。金属リボン２２１は、太陽電池２０１の正面のバスバー配線１３１ｂ及び太陽電池２０２の背面のバスバー配線１３２ｂと電気的に接続する。金属リボン２２２は、太陽電池２０２の正面のバスバー配線１３１ｂ及び太陽電池２０３の背面のバスバー配線１３２ｂと電気的に接続する。
【考案の概要】
【考案が解決しようとする課題】
【０００６】
本考案の一実施例に基づいて、太陽電池及び太陽電池モジュールを提供し、特に、一定間隔を隔てて形成されるような方式で構成されるバスバー配線を有する太陽電池及び太陽電池モジュールを提供する。
【課題を解決するための手段】
【０００７】
本考案の一実施例によれば、太陽電池は、半導体基板と、反射防止層と、電極構造と、を備えるように構成される。半導体基板は、互いに接続される第１型領域及び第２型領域を有する。反射防止層は、半導体基板の第１型領域の上に設けられる。電極構造は、第１型領域及び第２型領域を電気的に接続することにより電流回路を形成する。なお、電極構造は、少なくとも１つのバスバー配線を有し、前記少なくとも１つのバスバー配線は、複数の導電パターンを有し、かつ隣接する両導電パターンが所定領域を隔てて形成される。
【０００８】
一実施例において、前記電極構造は、第１電極及び第２電極を有する。第１電極は、複数のフィンガー電極及び第１バスバー配線を有する。複数のフィンガー電極は、第１型領域の上に配置される。第１バスバー配線は、複数の第１導電パターンを有し、前記複数の第１導電パターンが第１型領域の上に形成されるとともに、前記複数のフィンガー電極と電気的に接続し、かつ隣接する両第１導電パターンが第１所定領域を隔てて形成される。第２電極は、第２型領域と電気的に接続し、かつ第１電極と電気的に接続することに用いられる。
【０００９】
一実施例において、第２電極は、裏面電界電極及び第２バスバー配線を有する。裏面電界電極は、第２型領域の上に配置される。第２バスバー配線は、複数の第２導電パターンを有し、前記複数の第２導電パターンが裏面電界電極の上に形成されるとともに、裏面電界電極と電気的に接続し、かつ隣接する両第２導電パターンが第２所定領域を隔てて形成される。
【００１０】
一実施例において、太陽電池モジュールを提供し、太陽電池モジュールは、複数の太陽電池と、前記複数の太陽電池の間に電気的に接続される少なくとも１つの金属リボンと、を備えるように構成される。前記複数の太陽電池は、第１太陽電池及び第２太陽電池を有し、また、前記少なくとも１つの金属リボンの第１部分が第１太陽電池の前記複数の第１導電パターンの上に配置され、前記少なくとも１つの金属リボンの第２部分が第１太陽電池の隣接する両第１導電パターンの間の第１所定領域の上に配置される。
【００１１】
一実施例において、前記少なくとも１つの金属リボンの第３部分が第２太陽電池の前記複数の第２導電パターンの上に配置され、前記少なくとも１つの金属リボンの第４部分が第２太陽電池の隣接する両第２導電パターンの間の第２所定領域の上に配置される。
【考案の効果】
【００１２】
本考案の一実施例によれば、少なくとも１つのバスバー配線が一定間隔を隔てて形成されるような方式（または鎖状）で構成されるバスバー配線なので、太陽電池の品質を効率的に向上させることができる。また、一実施例において、第２バスバー配線が一定間隔を隔てて形成されるような方式（または鎖状）で構成されるバスバー配線なので、裏面電界電極の露出面積がより大きくなることによって、電子が太陽電池の背面から流出する現象を減らすことができることで、太陽電池の電圧を効率的に増加させる。また、鎖状で構成されるバスバー配線を採用することで、導電ペーストの使用量を減らすことができ、さらに製造コストが低減される。
【図面の簡単な説明】
【００１３】
【図１】従来の太陽電池を示す断面図である。
【図２Ａ】従来に係る第１電極が形成されているシリコン基板を示す上面図である。
【図２Ｂ】従来に係る第２電極が形成されているシリコン基板を示す底面図である。
【図３】従来の太陽電池モジュールを示す断面図である。
【図４】本考案の一実施例の太陽電池を示す断面図である。
【図５Ａ】本考案の一実施例に係る第１電極が形成されているシリコン基板を示す上面図である。
【図５Ｂ】本考案の一実施例に係る第２電極が形成されているシリコン基板を示す底面図である。
【図６】本考案の一実施例の太陽電池モジュールを示す断面図である。
【考案を実施するための形態】
【００１４】
図４は、本考案の一実施例の太陽電池を示す断面図である。図４に示すように、本考案の一実施例において、太陽電池３００は、シリコン基板３１０と、反射防止層３２０と、電極構造３３０と、を備えるように構成される。
【００１５】
シリコン基板３１０は、Ｐ型多結晶シリコン基板であってもよく、かつその表面の上に燐、ヒ素等のようなＮ型不純物をドーピングし、それをＰ型多結晶シリコン基板までに拡散させることにより、Ｎ型不純物拡散領域を形成する。これにより、シリコン基板３１０は、互いに接続されるＮ型領域３１１及びＰ型領域３１２を有し、即ち、上述したＮ型不純物拡散領域はＮ型領域３１１として形成され、シリコン基板３１０の他の部分はＰ型領域３１２として形成される。反射防止層３２０は、窒化けい素（Ｓｉ３Ｎ４）層または他の誘電層を有してもよい。電極構造３３０は、第１電極３３１及び第２電極３３２を有する。第１電極３３１は、Ｎ型領域３１１の第１表面３１３の上に設けられ、かつＮ型領域３１１に接触する。第２電極３３２は、Ｐ型領域３１２の第２表面３１４の上に設けられ、かつＰ型領域３１２に接触する。また、第１電極３３１と第２電極３３２は、負荷１５０を介して互いに電気的に接続されて電流を流す状態になり、負荷１５０に電気エネルギーを供給するようになる。
【００１６】
図５Ａは、本考案の一実施例に係る第１電極が形成されているシリコン基板を示す上面図である。図５Ａに示すように、一実施例において、第１電極３３１は、複数のフィンガー電極３３１ａ及び少なくとも１つの第１バスバー配線３３１ｂを有する。複数のフィンガー電極３３１ａは、Ｎ型領域３１１の第１表面３１３の上に配置される。第１バスバー配線３３１ｂが一定間隔を隔てて形成されるような方式（または鎖状）で構成されるバスバー配線であり、具体的に言えば、第１バスバー配線３３１ｂは、複数の第１導電パターン３１ｂを有し、前記複数の第１導電パターン３１ｂがＮ型領域３１１の第１表面３１３の上に形成されるとともに、対応するフィンガー電極３３１ａと電気的に接続し、かつ隣接する両第１導電パターン３１ｂが互いに離れており、かつ第１所定領域を隔てて形成される。
【００１７】
図５Ｂは、本考案の一実施例に係る第２電極が形成されているシリコン基板を示す底面図である。図５Ｂに示すように、一実施例において、第２電極３３２は、裏面電界電極３３２ａ及び第２バスバー配線３３２ｂを有する。裏面電界電極３３２ａは、Ｐ型領域３１２の第２表面３１４の上に配置される。第２バスバー配線３３２ｂが一定間隔を隔てて形成されるような方式（または鎖状）で構成されるバスバー配線であり、具体的に言えば、第２バスバー配線３３２ｂは、複数の第２導電パターン３２ｂを有し、前記複数の第２導電パターン３２ｂが裏面電界電極３３２ａの上に形成されるとともに、裏面電界電極３３２ａと電気的に接続し、かつ隣接する両第２導電パターン３２ｂが互いに離れており、かつ第２所定領域を隔てて形成される。
【００１８】
上で述べたように、一実施例において、少なくとも１つのバスバー配線３３１ｂまたは３３２ｂが一定間隔を隔てて形成されるような方式（または鎖状）で構成されるバスバー配線なので、太陽電池３００の品質を効率的に向上させることができる。より具体的に言えば、第２バスバー配線３３２ｂが一定間隔を隔てて形成されるような方式（または鎖状）で構成されるバスバー配線なので、裏面電界電極３３２ａの露出面積がより大きくなることによって、裏面電界電極３３２ａの機能を効率的に向上させることができ、電子が太陽電池３００の背面から流出する現象を減らすことができることで、太陽電池３００の電圧を効率的に増加させることができる。
【００１９】
直線式のバスバー配線を有する従来の太陽電池及び本考案の一実施例の鎖状のバスバー配線を有する太陽電池の実際電性の測定結果のデータを表１および表２にそれぞれ示した。
【００２０】
【表１】
0003181071.tif 000003
【表２】
0003181071.tif 000004
【００２１】
上記の表２に示すように、鎖状のバスバー配線の実施例の太陽電池３００の光電変換効率１７.１８３５％は、直線式のバスバー配線の比較例の太陽電池１００の光電変換効率１６.８５２３％より優れており、また、上記の表１に示すように、実施例の太陽電池３００の電圧０.６２２１５４８５９Ｖは、比較例の太陽電池１００の電圧０.６２１３２７３３６Ｖより優れていることがわかる。
【００２２】
一実施例において、第１バスバー配線３３１ｂも一定間隔を隔てて形成されるような方式（または鎖状）で構成されるバスバー配線を採用するため、太陽電池３００の受光面積がより大きくなることによって、より多く電子が生成される。従って、電流量を増加することができる。
【００２３】
一般的に、バスバー配線３３１ｂまたは３３２ｂのいずれも印刷方式を用いて形成される。例えば、銀ペースト等の導電ペーストを第１表面３１３及び第２表面３１４に印刷して形成される。一定間隔を隔てて形成されるような方式（または鎖状）で構成されるバスバー配線の設計を採用することで、導電ペーストの使用量を減らすことができるほかに、上述したように、太陽電池３００の品質を向上させることができる。その上、導電ペーストの材料の使用量を減らすことができ、さらに製造コストが低減される。出願人より実験で製造した産品の実際の計算結果によれば、比較例の太陽電池１００の第１バスバー配線１３１ｂに使用された銀ペーストの合計重量が約０.１９２６ｇ／ｐｃｓ（グラム／枚）であるのに対し、実施例の太陽電池３００の第１バスバー配線３３１ｂに使用された銀ペーストの合計重量が約０.１４５１ｇ／ｐｃｓ（グラム／枚）である。よって、第１バスバー配線３３１ｂの部分としては、約２５％コストダウンとなった。また、比較例の太陽電池１００の第２バスバー配線１３２ｂに使用された銀ペーストの合計重量が約０.０８３２ｇ／ｐｃｓ（グラム／枚）であるのに対し、実施例の太陽電池３００の第２バスバー配線３３２ｂに使用された銀ペーストの合計重量が約０.０２９０ｇ／ｐｃｓ（グラム／枚）である。よって、第２バスバー配線３３２ｂの部分としては、約６５％コストダウンとなった。
【００２４】
図６は、本考案の一実施例の太陽電池モジュールを示す断面図である。図６に示すように、太陽電池モジュール４００は、複数の太陽電池４０１、４０２及び４０３と、複数の金属リボン（ｍｅｔａｌｌｉｃ  ｒｉｂｂｏｎ）４２１及び４２２と、を備えるように構成される。金属リボン４２１は、太陽電池４０１の正面の第１バスバー配線３３１ｂ及び第２太陽電池４０２の背面の第２バスバー配線３３２ｂと電気的に接続する。金属リボン４２２は、第２太陽電池４０２の正面の第１バスバー配線３３１ｂ及び太陽電池４０３の背面の第２バスバー配線３３２ｂと電気的に接続する。
【００２５】
より具体的に言えば、第１バスバー配線３３１ｂは、複数の第１導電パターン３１ｂを有し、前記複数の第１導電パターン３１ｂがシリコン基板３１０の第１表面３１３の上に形成され、かつ隣接する両第１導電パターン３１ｂが第１所定領域を隔てて形成される。金属リボン４２１の一部が太陽電池４０１の前記複数の第１導電パターン３１ｂの上に配置され、かつ前記複数の第１導電パターン３１ｂに接触する。金属リボン４２１の他部が太陽電池４０１の隣接する両第１導電パターン３１ｂの間の前記所定領域の上に配置され、かつシリコン基板３１０の第１表面３１３に接触する。
【００２６】
一実施例において、裏面電界電極３３２ａは、Ｐ型領域３１２の第２表面３１４の上に配置される。第２バスバー配線３３２ｂは、複数の第２導電パターン３２ｂを有し、前記複数の第２導電パターン３２ｂが裏面電界電極３３２ａの上に形成されるとともに、裏面電界電極３３２ａと電気的に接続し、かつ隣接する両第２導電パターン３２ｂが第２所定領域を隔てて形成される。金属リボン４２１の一部が太陽電池４０２の前記複数の第２導電パターン３２ｂの上に配置され、かつ前記複数の第２導電パターン３２ｂに接触する。金属リボン４２１の他部が太陽電池４０２の隣接する両第２導電パターン３２ｂの間の前記第２所定領域の上に配置され、かつ裏面電界電極３３２ａに接触する。
【００２７】
本実施例において、金属リボン４２１及び４２２は、太陽電池４０１、４０２または４０３の表面全体に跨って延伸してもよく、例えば、金属リボン４２１は、太陽電池４０１の第１表面３１３全体に跨って延伸し、及び太陽電池４０２の第２表面３１４全体に跨って延伸する。これにより、金属リボン４２１及び４２２を介して前記複数の第１導電パターン３１ｂ及び前記複数の第２導電パターン３２ｂを電気的に接続することができる。従って、一定間隔を隔てて形成されるような方式（または鎖状）で構成されるバスバー配線であっても、電流を金属リボン４２１及び４２２を介して電流回路を形成できる。
【符号の説明】
【００２８】
１００    太陽電池
１１０    シリコン基板
１１１    Ｎ型領域
１１２    Ｐ型領域
１１３    第１表面
１１４    第２表面
１２０    反射防止層
１３０    電極構造
１３１    第１電極
１３１ａ  フィンガー電極
１３１ｂ  バスバー配線
１３２    第２電極
１３２ａ  裏面電界電極
１３２ｂ  バスバー配線
１５０    負荷
２００    太陽電池モジュール
２０１    太陽電池
２０２    太陽電池
２０３    太陽電池
２２１    金属リボン
２２２    金属リボン
３００    太陽電池
３１０    シリコン基板
３１１    Ｎ型領域
３１２    Ｐ型領域
３１３    第１表面
３１４    第２表面
３１ｂ    第１導電パターン
３２０    反射防止層
３２ｂ    第２導電パターン
３３０    電極構造
３３１    第１電極
３３１ａ  フィンガー電極
３３１ｂ  バスバー配線
３３２    第２電極
３３２ａ  裏面電界電極
３３２ｂ  第２バスバー配線
４００    太陽電池モジュール
４０１    太陽電池
４０２    太陽電池
４０３    太陽電池
４２１    金属リボン
４２２    金属リボン
【図１】
0003181071.tif 000005
【図２Ａ】
0003181071.tif 000006
【図２Ｂ】
0003181071.tif 000007
【図３】
0003181071.tif 000008
【図４】
0003181071.tif 000009
【図５Ａ】
0003181071.tif 000010
【図５Ｂ】
0003181071.tif 000011
【図６】
0003181071.tif 000012